(57)【要約】【課題】  作業者が容易かつ安全に保護カバーの開閉作業を行い得る構造の筐体を有するエンジン駆動作業機を提供すること。【解決手段】  エンジン５０、このエンジンにより駆動される作業機５１およびその付属機器６０が筐体に収容され、前記筐体は下向きの吸気口を有し、前記筐体の一端側の上部に突出して吸気フードが設けられ、前記筐体の他端側の上部に排気フードが設けられたエンジン駆動作業機１００において、一端に回動部材が設けられ、前記吸気フードの前記吸気口の端部に回動可能に取り付けられた保護カバー２００と、前記保護カバーの他端に設けられ、前記保護カバーの他端を前記吸気口の端部に簡易固定する第１の固定部材２０４と、前記保護カバーの他端に設けられ、前記保護カバーの他端を前記吸気口の端部に係止させる第２の固定部材２０２，２０３，２３５と、をそなえたことを特徴とするエンジン駆動作業機、および排風フードに同様の構造が採られたエンジン駆動作業機。【選択図】  図１
2005282484.tif 000002
【特許請求の範囲】
【請求項１】
エンジン、このエンジンにより駆動される作業機およびその付属機器が筐体に収容され、前記筐体は下向きの吸気口を有し、前記筐体の一端側の上部に突出して吸気フードが設けられ、前記筐体の他端側の上部に排気フードが設けられたエンジン駆動作業機において、
一端に回動部材が設けられ、前記吸気フードの前記吸気口の端部に回動可能に取り付けられた保護カバーと、
前記保護カバーの他端に設けられ、前記保護カバーの他端を前記吸気口の端部に簡易固定する第１の固定部材と、
前記保護カバーの他端に設けられ、前記保護カバーの他端を前記吸気口の端部に係止させる第２の固定部材と、
をそなえたことを特徴とするエンジン駆動作業機。
【請求項２】
請求項1記載のエンジン駆動作業機において、
前記吸気口は、少なくとも前記他端が磁気吸着性を有するものであり、
前記第１の固体部材は、磁石を用いたものであるエンジン駆動作業機。
【請求項３】
請求項1記載のエンジン駆動作業機において、
前記第２の固定部材は、ボルトとナットとの組み合わせであるエンジン駆動作業機。
【請求項４】
請求項１記載のエンジン駆動作業機において、
前記第２の固定部材は、前記筐体に設けられた係止部と、回動付勢され前記係止部と係合およびその解除をするレバーとを有するエンジン駆動作業機。
【請求項５】
請求項１記載のエンジン駆動作業機において、
前記保護カバーは、回動可能で分解可能な軸機構を有し、この軸機構を分解することにより前記保護カバーを前記筐体から取り外し得るように構成したエンジン駆動作業機。
【請求項６】
エンジン、このエンジンにより駆動される作業機およびその付属機器が筐体に収容され、前記筐体は、一端側に吸気口を、また他端側に内、外を連通する排風口、およびこの排風口を覆う排風フードをそなえたエンジン駆動作業機において、
一端に回動部材が設けられ、前記排風フードの前記排風口の端部に回動可能に取り付けられた保護カバーと、
前記保護カバーの他端に設けられ、前記保護カバーの他端を前記排風口の端部に簡易固定する第１の固定部材と、
前記保護カバーの他端に設けられ、前記保護カバーの他端を前記排風口の端部に係止させる第２の固定部材と、
をそなえたことを特徴とするエンジン駆動作業機。
【請求項７】
請求項６記載のエンジン駆動作業機において、
前記第２の固定部材は、ボルトとナットとの組み合わせであるエンジン駆動作業機。
【請求項８】
請求項６記載のエンジン駆動作業機において、
前記排風口は、少なくとも前記他端が磁気吸着性を有するものであり、
前記第１の固体部材は、磁石を用いたものであるエンジン駆動作業機。
【請求項９】
請求項６記載のエンジン駆動作業機において、
前記第２の固定部材は、前記筐体に設けられた係止部と、回動付勢され前記係止部と係合およびその解除をするレバーとを有するエンジン駆動作業機。
【請求項１０】
請求項５記載のエンジン駆動作業機において、
前記保護カバーは、回動可能で分解可能な軸機構を有し、この軸機構を分解することにより前記保護カバーを前記筐体から取り外し得るように構成したエンジン駆動作業機。
【発明の詳細な説明】
【技術分野】
【０００１】
本発明は、エンジン、このエンジンにより駆動される作業機およびその付属機器を筐体に収容してなるエンジン駆動作業機に係り、とくに筐体の吸気口、排風口に設けられる保護カバーの構造に関する。
【背景技術】
【０００２】
この種のエンジン駆動作業機は、筐体内部に収容されたエンジン、作業機本体を騒音対策をしつつ冷却するため、単に内外を連通させるのではなくフードを介して通気を行うようにしている。そして、これらフードの大気に連通する部分には塵埃等の異物侵入および事故の防止のために、金網や角穴が多数開けられた吸気保護カバーとか排風カバーがボルト等により着脱自在に取り付けられている（特許文献１参照）。
【０００３】
また、エンジン駆動作業機としては、図１０に示すように、筐体が、ベース２７０、フレーム２６０および上部ケース２５０として構成され、上部ケース２５０に、吸気フード２８０および排風フード２９０が設けられたものがある。
【０００４】
この場合、吸気フード２８０は、その下方から矢印Ｑで示す方向に見ると、図１１に示すように、網状の保護カバー２８１がボルト２０２により吸気フード２８０に固定されている。
【特許文献１】特開平10-336958号公報
【発明の開示】
【発明が解決しようとする課題】
【０００５】
このような筐体は、保護カバーを開けて作業をすることがある。その際、ボルトを外して作業者の頭の真上にある保護カバーを取り外し、その後再び取り付ける。保護カバーはかなりの重量があるにも拘らず、作業者が頭上で作業をするため、保護カバーの作業者の頭上への不意の落下等のかなりの危険を伴う作業となる。ときには、脚立を用いて同様の作業を行うこともあり、その場合は一層危険が増す。
【０００６】
本発明は上述の点を考慮してなされたもので、作業者が容易かつ安全に保護カバーの開閉作業を行い得る構造の筐体を有するエンジン駆動作業機を提供することを目的とする。
【課題を解決するための手段】
【０００７】
上記目的達成のため、本発明では、
エンジン、このエンジンにより駆動される作業機およびその付属機器が筐体に収容され、前記筐体は下向きの吸気口を有し、前記筐体の一端側の上部に突出して吸気フードが設けられ、前記筐体の他端側の上部に排気フードが設けられたエンジン駆動作業機において、一端に回動部材が設けられ、前記吸気フードの前記吸気口の端部に回動可能に取り付けられた保護カバーと、前記保護カバーの他端に設けられ、前記保護カバーの他端を前記吸気口の端部に簡易固定する第１の固定部材と、前記保護カバーの他端に設けられ、前記保護カバーの他端を前記吸気口の端部に係止させる第２の固定部材と、をそなえたことを特徴とするエンジン駆動作業機、および
エンジン、このエンジンにより駆動される作業機およびその付属機器が筐体に収容され、前記筐体は、一端側に吸気口を、また他端側に内、外を連通する排風口、およびこの排風口を覆う排風フードをそなえたエンジン駆動作業機において、一端に回動部材が設けられ、前記排風フードの前記排風口の端部に回動可能に取り付けられた保護カバーと、前記保護カバーの他端に設けられ、前記保護カバーの他端を前記排風口の端部に簡易固定する第１の固定部材と、  前記保護カバーの他端に設けられ、前記保護カバーの他端を前記排風口の端部に係止させる第２の固定部材と、をそなえたことを特徴とするエンジン駆動作業機、
を提供するものである。
【発明の効果】
【０００８】
本発明は上述のように、吸気口または排風口に取り付ける保護カバーを、回動可能に支持し、簡易固定する第1の固定部材および係止構造の第２の固定部材を用いて二重固定するようにしたため、作業時には第2の固定部材を外して第1の固定部材により簡易固定状態にしておき、次いで第1の固定部材を操作して保護カバーを開くようにし、閉じるときはこの逆の操作を行うようにするため、保護カバーが作業者の頭上に不意に落下することもなく、安全性を確保して作業を行うことができる。
【発明を実施するための最良の形態】
【０００９】
以下、図１ないし図９を参照して本発明の実施例を説明する。  
【実施例１】
【００１０】
図１は、本発明の一実施例の外観を示す斜視図であり、図２は図１に示された側面形状を示す側面図である。これら両図に示すように、エンジン駆動作業機１００は、ベース１３０上に下部ケース１２０が載置され、さらにその上に上部ケース１１０が設けられる。そして、下部ケース１２０内には、エンジン５０、作業機５１等が収容され、また上部ケース１１０内にはマフラ６０等が収容されている。
【００１１】
上部ケース１１０の図示「前」方に排風フード１４０が突出して設けられ、また「後」方に吸気フード１５０がやはり突出して設けられる。これら両フード１４０，１５０の設置位置は、作業者１０の頭の位置よりもかなり上方になっている。
【００１２】
排風フード１４０は、排風口１４０ａからエンジン駆動作業機１００の「前」方に向かって水平方向に排風を排出するが、吸気フード１５０は下向きの吸気口１５０ａから空気を吸い込む。吸気口１５０ａが下向きであるのは、雨滴、塵埃をできるだけ吸い込まないためである。
【００１３】
吸気口１５０ａには、吸気保護カバー２００がヒンジ２０１を支点にして開閉可能に取り付けられている。
【００１４】
図３は、吸気フード１５０の詳細構造を側断面図として示したものであり、図４は図３で示した回動機構における簡易固定構造を示す側断面図である。すなわち、吸気フード１５０は、上部ケース１１０から突出して設けられ、その下面に吸気口１５０ａが形成されている。
【００１５】
吸気口１５０ａには、吸気保護カバー２００がヒンジ２０１を支点にして開閉可能に設けられている。吸気保護カバー２００は、網状部材２００ａ、この網状部材２００ａの内側に配されるフィルタ２００ｂ、フィルタ２００ｂを背後から支持するサポータ２００ｃ、および保護カバー２００を開閉操作するためのハンドル２００ｄにより構成されている。
【００１６】
そして、ハンドル２００ｄの近傍には、永久磁石２０４が設けられており、この永久磁石２０４が吸気フード１５０の内部に向かって上部ケース１１０から張り出した掛止板１１０ａに磁気吸着し、吸気保護カバー２００を簡易固定することができる。また、ハンドル２００ｄの近傍には、ボルト２０２が設けられて吸気フード１５０に固着されているナット２０３にねじ込み可能となっており、これにより吸気保護カバー２００を吸気フード１５０に係止することができる。
【００１７】
したがって、吸気保護カバー２００を開くときは、ボルト２０２をナット２０３から外した上で、ハンドル２００ｄを引き下げて、永久磁石２０４によって吸気フード１５０の内部で掛止板１１０ａに磁気吸着されている吸気保護カバー２００を、ヒンジ２０１を支点にして回動させる。これにより、吸気保護カバー２００を図３に想像線で示した位置あるいはそれ以上の位置まで開くことができる。
【００１８】
このとき、ボルト２０２を外した場合は吸気保護カバー２００が永久磁石２０４によって磁気吸着されていて回動することはない。この状態でハンドル２００ｄを引き下げると、吸気保護カバー２００が回動する。
【００１９】
吸気保護カバー２００を閉じるときは、逆に永久磁石２０４により吸着状態にしてからボルト２０２により係止させる。
【００２０】
図５は、図１および図２に示した吸気フード１５０を下方から見た状態を示している。吸気フード１５０は、上部ケース１１０の「後」側周縁をコ字型に取り囲むように設けられている。これにより、多量の冷却風を取り入れることができる。
【００２１】
この図５に示すように、上部ケース１１０の「後」側の面に沿って３個の大型の吸気保護カバー２００が並置され、両側部に小型の吸気保護カバー２００が１個ずつ並置されている。これら保護カバー２００は、寸法の大小はあっても何れも２枚の網状部材２００ａを有する構成になっている。
【００２２】
図６は、本発明の他の実施例を示したものである。この場合、吸気保護カバー２００は上部ケース１１０の側壁面に設けられている。すなわち、図１ないし図５に示した実施例では、吸気保護カバー２００が吸気フード１５０の下面に設けられていたから、吸気保護カバー２００を閉じたとき水平状態で開いたとき垂直状態になるのに対し、この図６の実施例では閉じたとき垂直状態であり、開いたとき水平状態である。
【００２３】
そして、吸気保護カバー２００を開閉する機構そのものは、図１ないし図５に示した実施例と同一である。
【００２４】
図７は、排風フード１４０に設けられる排風保護カバー２２０の構造を示す側断面図である。排風フード１４０からは排風が吹出すから、吸気フード１５０のように雨滴の侵入などを考慮する必要がない。そこで、排風保護カバー２２０は、排風フード１４０の端部に設けたヒンジ２２１により回動可能に支持する。そして、排風保護カバー２２０を永久磁石２２４により簡易固定すること、ボルト２２２、ナット２２３により係止することは、図１ないし図５に示した実施例と同様である。
【００２５】
図８および図９は、吸気保護カバー２００もしくは排風保護カバー２２０をワンタッチで係止するための掛止機構２３０を示している。この掛止機構２３０は、ばね付勢されたレバーの先端をフード内にあって上部ケース１１０から張り出した掛止板１１０ａに係合させるものである。
【００２６】
ここでは、吸気フード１５０の場合の掛止機構として説明する。上部ケース１１０に掛止板１１０ａを設け、この掛止板１１０ａには穴１１０ｂを開けておく。一方、吸気保護カバー２００には、レバー取付板２３１を取り付け、このレバー取付板２３１に一対の軸取付板２３１ａを立設し、軸２３２を支持させ抜止部材２３２ａを装着する。
【００２７】
そして、軸２３２にパイプ２３３およびコイルばね２３４を装着し、その一端２３４ａをレバー２３５に差込み、他端２３４ｂをレバー取付板２３１に当接する。これにより、レバー２３５にコイルばね２３４によるばね付勢がなされる。レバー２３５の回動スペースを確保するために、レバー取付板２３１の中央には、穴２３１ｂが開けられている。そして、レバー取付板２３１の４隅には、取付け用のねじ穴２３１ｃが形成されている。
【００２８】
レバー２３５は、図示下端２３５ａが作業者の手が掛かる操作部であり、他端２３５ｂが尖っていて掛止板１１０ａの面に当接する。そして、レバー２３５は、常時はコイルばね２３４により図示Ａ方向（反時計方向）に回動付勢がなされており、掛止板１１０ａに当接するが、操作部２３５ａを図示Ｂ方向（時計方向）に回動操作すると、掛止状態が解除されて吸気保護カバー２００を開くことが出来る。
【００２９】
この図８および図９に示した掛止機構により、レバー２３５のワンタッチ操作によって吸気保護カバー２００を掛止状態すなわち係止状態から解除して開くことができるし、閉じる場合もワンタッチ操作でできる。
【００３０】
この図８、図９を用いて説明した機構は、図６に示したもう一つの吸気保護カバーおよび図７により示した排風保護カバーにも適用できる。
【００３１】
また上記実施例では、掛止板１１０ａが上部ケース１１０から張り出した構造としているが、フード内部に掛止板を配設することも可能である。
【図面の簡単な説明】
【００３２】
【図１】本発明の一実施例の構成を示す説明図。
【図２】図１に示した実施例の側面図。
【図３】図１および図２に示した実施例の吸気保護カバーの回動機構における係止構造を示す側断面図。
【図４】図３に示した回動機構における簡易固定構造を示す側断面図。
【図５】図１ないし図４に示した実施例における吸気保護カバーの装着状態を示す下面図。
【図６】本発明におけるもう一つの吸気保護カバーの構造を示す側断面図。
【図７】本発明における排風保護カバーの構造を示す側断面図。
【図８】本発明における吸気保護カバーの他の係止構造を示す側断面図。
【図９】図８に示した係止構造の斜視図。
【図１０】従来のエンジン駆動作業機の外観形状を示す斜視図。
【図１１】図１０に示したエンジン駆動作業機の吸気口を示す下面図。
【符号の説明】
【００３３】
１０  作業者、５０  エンジン、５１  作業機、６０  マフラ、
１００  筐体、１１０，２５０  上部ケース、１１０ａ  掛止板、
１１１  吸気口、１２０，２６０  下部ケース、１３０，２７０  ベース、
１４０，２９０  排風フード、１５０，２８０  吸気フード、
２００，２８１  吸気保護カバー、２００ｄ  ハンドル、２０１  ヒンジ、
２０２  ボルト、２０３  ナット、２０４  永久磁石、
２２０  排風保護カバー、２３０  掛止装置、２３１  レバー取付板、
２３２  軸、２３３  パイプ、２３４  コイルばね、２３５  レバー。
【図１】
2005282484.tif 000003
【図２】
2005282484.tif 000004
【図３】
2005282484.tif 000005
【図４】
2005282484.tif 000006
【図５】
2005282484.tif 000007
【図６】
2005282484.tif 000008
【図７】
2005282484.tif 000009
【図８】
2005282484.tif 000010
【図９】
2005282484.tif 000011
【図１０】
2005282484.tif 000012
【図１１】
2005282484.tif 000013